(57)【要約】【課題】  昇降棚のスライド方向の位置決めとその位置での安定性を確保することにより、収納物の出し入れのし易さを改善し、安全で安心な昇降式ウォールキャビネットを提供することを可能にする。コーナーウォールキャビネットであっても楽に収納物を出し入れでき、収納効率も改善される使い勝手のよいウォールキャビネットを提供することを可能とする。  【解決手段】  壁の上方に設置されるキャビネット外筐体と、前記キャビネット外筐体に収納される昇降棚と、前記昇降棚を垂直方向に昇降可能に連結する昇降ベース部材とを備え、前記キャビネット外筐体の底面には前記昇降棚が通過できる底面開口部を設け、前記昇降棚はスライド部材によって、前記壁から遠ざかる方向にスライド可能に前記ベース部材と連結されており、前記昇降棚の昇降時に、前記昇降棚が前記底面開口部を通過することが出来る位置に保持する定位置保持具を有し、前記定位置保持具は一定の力を加えることによって、その保持を解除することを特徴とする昇降式ウォールキャビネット【選択図】  図２
2010279411.tif 000002
【特許請求の範囲】
【請求項１】
壁の上方に設置されるキャビネット外筐体と、
前記キャビネット外筐体に収納される昇降棚と、
前記昇降棚を垂直方向に昇降可能に連結する昇降ベース部材とを備え、
前記キャビネット外筐体の底面には前記昇降棚が通過できる底面開口部を設け、
前記昇降棚はスライド部材によって、前記壁から遠ざかる方向にスライド可能に前記ベース部材と連結されており、
前記昇降棚の昇降時に、前記昇降棚が前記底面開口部を通過することが出来る位置に保持する定位置保持具を有し、
前記定位置保持具は一定の力を加えることによって、その保持を解除することを特徴とする昇降式ウォールキャビネット
【請求項２】
前記昇降棚が、前記スライド部材によってスライドした所定位置で保持される請求項１に記載の昇降ウォールキャビネット
【請求項３】
前記昇降棚を、前記スライド部材によってスライドした任意の位置で停止させることが出来る制動手段を備えたたことを特徴とする請求項１乃至２の何れか１項に記載の昇降ウォールキャビネット。
【請求項４】
前記昇降棚が、前記定位置保持具に支持されていない状態では、昇降動作が禁止されることを特徴とする請求項１乃至３の何れか１項に記載の昇降式ウォールキャビネット。
【請求項５】
前記昇降棚を昇降させる際に、動力を使用して昇降させることを特徴とする請求項１乃至４の何れか１項に記載の昇降式ウォールキャビネット。
【発明の詳細な説明】
【技術分野】
【０００１】
本発明は、台所の上方壁面に取り付けて使用する電動で可動する昇降式ウォールキャビネットに関し、特に直交する壁二面にまたがって設置されるコーナー用ウォールキャビネットに好適な発明である。
【背景技術】
【０００２】
壁二面が直交する角部に設置されたシステムキッチンにおいて、コーナーに設置されたコーナー用ウォールキャビネットは、カウンター前からコーナーの奥行方向に向って奥行きが大きく収納物出し入れの作業がしづらい。また、コーナー用ウォールキャビネットの内部は収納空間が異形であり収納効率も悪く、また収納空間の容量や奥行の大きさに対して収納物出し入れのための開口面積が構造的に制限され狭小であり使い勝手の悪いものとなっている。
ここで、コーナーの奥行き方向とは直交する二面壁の中線方向を指し、後方とは奥側コーナー方向を意味し、前方は壁コーナーからカウンタを隔てた作業場方向を意味する。
【０００３】
そこで、モーターを使用して電気的に昇降棚を上げ下げし、さらに最下降点で手動にて壁面の角部の側壁と反対する方向に水平スライドする昇降式ウォールキャビネットが提案されている。（例えば、特許文献１参照。）
この提案では、昇降棚が昇降領域の高さにあるときはスライドロックがかかり、下降するとロックが解除され水平方向へのスライドが可能となる。よって昇降中に誤って水平移動させることがなく外筐体と昇降棚が干渉するのを防いでいる。
しかし昇降棚が最下端に到達すると使用者の意志とは無関係にスライドロックが解除され、昇降棚のスライド方向の安定性が損なわれ、ロック解除とともに昇降棚が意図に反してスライドしたり、重い収納物を入れると前後方向に不安定にずれてしまうことも考えられる。また収納物の出し入れの時もスライドしてしまい使い勝手が悪かった。
【先行技術文献】
【特許文献】
【０００４】
【特許文献１】特開２００３−２４５１４３号公報（第８頁、第６図）
【発明の概要】
【発明が解決しようとする課題】
【０００５】
本発明は、上記問題を解決するためになされたもので、本発明の課題は、昇降式キャビネットにおいて、最下端を含めたどの位置であっても容易に収納物を出し入れでき、昇降棚が外筐体に干渉することなく、また収納物の出し入れの際も昇降棚が安定し使い勝手のよい昇降式ウォールキャビネットを提供することにある。
【課題を解決するための手段】
【０００６】
上記目的を達成するために請求項１記載の発明によれば、壁の上方に設置されるキャビネット外筐体と、前記キャビネット外筐体に収納される昇降棚と、前記昇降棚を垂直方向に昇降可能に連結する昇降ベース部材とを備え、前記キャビネット外筐体の底面には前記昇降棚が通過できる底面開口部を設け、前記昇降棚はスライド部材によって、前記壁から遠ざかる方向にスライド可能に前記ベース部材と連結されており、前記昇降棚の昇降時に、前記昇降棚が前記底面開口部を通過することが出来る位置に保持する定位置保持具を有し、前記定位置保持具は一定の力を加えることによって、その保持を解除することを特徴とする昇降式ウォールキャビネットが提供される。
【発明の効果】
【０００７】
請求項１に記載の発明によれば、簡単な構成で可動棚昇降時の定位置を保持し、かつ定位置保持手段は使用者の意思によって解除されるため、昇降棚が昇降軌道から外れることがなく昇降できるのでキャビネット外筐体と干渉を防ぎ、かつ下降時に不用意に昇降棚がスライドすることもなく安全である。また使用者の意志により定位置保持が解除されるので、下端位置到達後にも不用意にスライドする危険がなく、スライドが不要の場合は下降状態のまま保持状態を維持して収納物の出し入れが可能となり使い勝手が改善される。
【０００８】
また、請求項２記載の発明のよれば、昇降棚を手前側に引き出した状態でも昇降棚が保持されることで、安定状態を維持でき収納物の出し入れ時の使い勝手が改善される。
【０００９】
また、請求項３記載の発明によれば、前記昇降棚と前記昇降ベース部材のスライド方向任意の位置で保持できるため、収納する物品に応じて好きな位置に昇降棚を保持させて物品の出し入れが可能になり、使い勝手が改善される。
【００１０】
また、請求項４記載の発明によれば、昇降棚が可動棚昇降時にキャビネット外筐体と干渉しない定位置に確実に戻ってないと上昇動作が実施されず、キャビネット外筐体と干渉し、破損する恐れががない。また、下降途中で前後方向スライド保持手段が外れた場合には昇降作動が停止するので昇降棚が外筐体と干渉したまま昇降作動することがなく、破損を防ぎ、安全性が確保される。
【００１１】
また、請求項５記載の発明によれば、昇降棚に重い物品を収納した場合においても楽に昇降棚を昇降させることが可能となる。
【図面の簡単な説明】
【００１２】
【図１】本発明のシステムキッチンへの納まり図である。
【図２】本発明の構造を示す斜視図である。
【図３】本発明の昇降装置を示す透視斜視図である。
【図４】本発明における昇降棚が収納された状態を示す構造断面図である。
【図５】本発明における昇降棚が下端位置まで下降した状態を示す構造断面図である。
【図６】本発明における昇降棚が下端位置から前方へスライドした様子を示す構造断面図である。
【図７】本発明の昇降棚スライド保持手段を示す断面図である。
【図８】本発明の昇降棚スライド制動手段を示す断面図である。
【発明を実施するための形態】
【００１３】
以下、本発明の実施形態を図を用いて説明する。
図１は本発明の昇降式ウォールキャビネット１のシステムキッチンへの組み込み状態を示す外観図で、二面の壁が直交する上方に取り付けられ、壁にそって他のウォールキャビネット１１０、１１１、１１２、フード１１３が並設され、下方にはＬ字型のカウンタ１２０備え付けられている。
【００１４】
図２により本発明の昇降式ウォールキャビネット１の構成を説明する。なお、各部の構造を見やすくするため図の一部を透視図としている。
昇降式ウォールキャビネット１は、壁に固定された外筐体１００と、外筐体１００内の後方で上下に移動する昇降ベース部材３００と、昇降ベース部材３００を上下に移動させる昇降装置４００と、昇降ベース部材３００に吊り下げられ外筐体１００の底面開口部から上下方向に進退する昇降棚５００と、で構成される。なお、昇降棚５００は昇降ベース部材３００にコーナー奥行き方向前方にスライド自在となるように連結されている。
【００１５】
外筐体１００は、二面の壁に当接固定する外筐体裏板１０２Ｒ、１０２Ｌと、各外筐体裏板１０２と垂直に備え付けられた外筐体側板１０３Ｒ（透視図のため図示せず）、１０３Ｌと、外筐体天板１０４と、外筐体１００の前方下部の外筐体底板１０７と、で形成される。
外筐体裏板１０２Ｒ、１０２Ｌの幅寸法、すなわちコーナーから垂直に外筐体側板１０３Ｒ、１０３Ｌが立ち上がる位置は略等しいことが望ましい。
【００１６】
固定収納空間２００は、外筐体１００を前後に仕切る仕切り板２０１と、外筐体底板１０７と、外筐体側板１０３Ｒ、１０３Ｌと、外筐体天板１０４で５面を囲われた空間であり、前方１面が開口されている。なお開口された面には図示しない化粧扉によって開閉自在に覆われている。また、固定収納空間２００には、外筐体側板１０３Ｒ、１０３Ｌから渡した固定収納棚板２０２が備え付けられている。
【００１７】
昇降棚５００は、外筐体裏板１０２二面に対し各平行な二面の昇降棚側板５０１Ｒ、５０１Ｌと、昇降棚天板５０２と、昇降棚底板５０３と、各昇降棚側板５０１Ｒ、５０１Ｌから渡した昇降棚棚板５０４と、昇降棚天板５０２の上面に固定され昇降ベース部材３００とコーナーの奥行き方向前方に昇降棚がスライド可能なように連結する前方スライドレール３０１とで構成される。
【００１８】
昇降装置４００を図３で説明する。図３は、外筐体１００の内部を示した図であり、外筐体裏板１０２以外は図示していない透視図である。
【００１９】
昇降装置４００は、外筐体天板１０４裏面の略中央に配置した昇降の駆動源であるモーター４２０と、モーター４２０の回転軸とギヤヘッド（図示せず）を介して回転する巻取りボビン４２２と、外筐体天板１０４の裏に固定され巻き取りボビン４２２の軸を保持する巻き取りボビンホルダー４２１と、巻取りボビン４２２に一端を固定したベルト４２５と、外筐体天板１０４の裏に固定されベルト４２５を巻き掛けた定滑車４２３と、定滑車４２３から伸びたベルト４２５をさらに巻き掛けた動滑車４２４と、外筐体裏板１０２に固定され動滑車４２４の上下方向をガイドするスライドレール４２６と、駆動源であるモーターの電源及びモーター駆動を制御する制御ボックス４２７と、制御ボックス４２７と外筐体外側で信号線４２９により繋がれた操作部４２８と、動滑車４２４に連結された昇降ベース部材３００の上下の所定位置を検出する図示しないリミットスイッチと、後述する昇降棚５００が所定位置にあることを検知する定位置リミットスイッチと、で形成される。なお、一端が巻取りボビン４２２に固定されたベルト４２５は、定滑車４２３、動滑車４２４の順に巻きかけられ、他端は定滑車４２３に固定されている。
【００２０】
昇降ベース部材３００は、下面が昇降棚天板５０２と前方スライドレール３０１にて連結されており、上面が昇降装置４００の動滑車４２４と連結されている。
【００２１】
定位置保持手段を図７に示す。定位置保持手段は昇降途中すなわち昇降棚５００が外筐体１００から下方にでききらない状態で昇降棚５００が昇降ベース部材３００からスライドしないように昇降棚５００を水平方向の定位置に保持するための機構である。なお定位置とは、昇降棚５００が外筐体１００に格納されている時、あるいは昇降作動する時、外筐体１００と干渉せず格納・昇降できる位置、すなわち昇降ベース部材３００の最後方位置である。
【００２２】
昇降棚５００が定位置にあるとき、図７のＡ部詳細に示すように昇降棚天板５０２上面の前方に備え付けられたＡ磁石５０６と昇降ベース部材３００の下面に固定された磁性体３０３とが当接し磁力によりその位置で保持されスライドが阻止される。これにより昇降棚５００は後方の定位置に保持されることとなる。
【００２３】
また昇降棚５００が定位置にある時は、図７のＣ部詳細に示すように昇降ベース部材３００の後方の下面に配置された定位置リミットスイッチ３０４が、昇降棚天板５０２の後方の上面に配置されたスイッチドグ５０８がリミットスイッチ３０４に近接することによってリミットスイッチ３０４が定位置を検知しいる。これにより昇降棚５００の昇降作動が可能となるように設定されている。
【００２４】
また、昇降棚５００を前方に所定量スライドさせた場合は、図７のＢ詳細に示すように昇降棚天板５０２上面の中間辺りに備え付けられたＢ磁石５０７が、昇降ベース部材３００の下面に固定された磁性体３０３と当接し磁力によりその位置で保持されスライドが阻止される。また昇降棚５００の定位置を検知するリミットスイッチ３０４はスイッチドグ５０８から離れ近接していないと、定位置にいないと判断され、昇降作動ができない状態となるように形成される。
【００２５】
次に本発明の昇降式ウォールキャビネット１の動作について図４、図５、図６により説明する。図４、図５、図６は図２の破線を下方に垂直に切った断面を示した断面図であり、各図の右側が後方、左側が前方となる。よって使用者は図の左側に立ち操作を行う。なお、以下の説明では、図４、図５、図６で図示されない構成部材についても前述で説明した構成部材については、同じ番号を付与して説明する。
【００２６】
図４は昇降棚５００が外筐体１００に格納された状態であり、巻取りボビン４２２にベルト４２５が巻き上げられ、昇降棚底板５０３の下面が外筐体底板１０７の下面と略面一となっている。この時、使用者は、図示しない扉を開放することにより固定収納空間２００内の収納物物を出し入れすることができる。
【００２７】
昇降式ウォールキャビネットの後方にある昇降棚５００内の収納物を出し入れする場合、使用者は昇降棚２００を下降させるために、操作部４２８の下降スイッチを押す。下降スイッチの信号は信号線４２９をとおって制御ボックス４２７に送られ、制御ボックス４２７はモーター４２０を巻き取りボビン４２２に巻き取られたベルト４２５を巻き戻す所定方向に回転させる。モーター４２０が回転することでギヤヘッドを介して巻取りボビン４２２がベルト４２５を緩ませ、ベルト４２５に巻き掛けた動滑車４２４と動滑車４２４に連結された昇降ベース部材３００および昇降棚５００が下降する。この時、昇降棚５００は定位置保持手段により水平方向の移動を阻止されている。
【００２８】
図５に示すように、昇降ベース部材３００の下面が外筐体底板１０７の下面と略面一となる位置まで下降すると、図示しないリミットスイッチが入り、その信号が制御ボックス４２７に送られ、モーター４２０を停止させることで昇降棚５００の下降が自動停止する。この状態で昇降棚５００への収納物の出し入れが可能となる。
【００２９】
上記方法により昇降棚５００を外筐体底板１０７よりも下に下降させ、使用者が昇降棚５００をＡ磁石５０６と磁性体３０３の引力に抗して前方に引くとさらに図６に示すように、下降した昇降棚５００を前方に引き出すことができる。こうすることで昇降棚５００の奥まった部分までも手が届き、収納物の出し入れが非常にしやすくるなる。
【００３０】
この時Ａ磁石５０６と磁性体３０３は離脱し昇降棚５００は昇降ベース部材３００に対し前方方向にスライド可動可能となる。ここでＡ磁石５０６と磁性体３０３が離脱する昇降棚５００の定位置を検知するリミットスイッチ３０４はスイッチドグ５０８から離れて近接していないと、定位置にいないと判断され、昇降作動ができない状態となるように形成されている。
【００３１】
昇降棚５００がスライドして前方所定位置では、図７のＢ部詳細に示すように昇降棚天板５０２上面に備え付けられた磁石５０７と昇降ベース部材３００の下面に固定された磁性体３０３とが当接し磁力によりその位置でスライドが阻止され保持される
これにより昇降棚５００は前方所定定位置に保持され、収納物の出し入れの際には昇降棚が安定した状態になることとなる。
【００３２】
なお、図４、図５および図６の状態においても、使用者は、図示しない扉を開放することにより固定収納空間２００内の収納物を出し入れすることができる。
【００３３】
昇降棚５００への収納物の出し入れが終わり、昇降棚５００を外筐体１００に再び格納する場合は以下の手順による。使用者は、まず、昇降棚５００が昇降ベース部材３００と前方所定位置で保持している
【００３４】
Ｂ磁石５０７と磁性体３０３の引力に抗して昇降棚５００を後方側へ押しスライドさせ昇降棚５００を所定位置まで移動させ、Ａ磁石５０６と磁性体３０３が当接し磁力により固定させる。これと同時位置を検知するリミットスイッチ３０４が昇降棚５００の定位置を検知し、昇降作動を可能な図５の状態となる。その後、操作部の上昇スイッチを押してモーター２０を下降時とは逆の方向に回転させることで巻取りボビン４２２がベルト４２５を巻き上げ、動滑車４２４および昇降ベース部材３００および昇降棚５００を上昇さる。昇降ベース部材３００が図４に示すような定位置に来ると、リミットスイッチが入り、その信号が制御部４２７に送られ、モーター２０が停止し、昇降棚２００の上昇が停止する。よって昇降棚５００は外筐体１００に格納される。
【００３５】
なお、昇降中に使用者が昇降棚５００を無理に前方に移動させた場合は、定位置保持手段のＡ磁石５０６が磁性体３０３から離れて定位置から移動することがあるが、この時、定位置リミットスイッチ３０４が、昇降棚５００が定位置いないと判断し昇降動作が強制的に停止される。
【００３６】
上記実施例では磁石と磁性体の磁力により昇降ベース部材３００と昇降棚５００を着脱しているが、これに限らず近接させたり所定の力以上で押し込むと連結し、所定の力以上で引くと離脱するキャッチやラッチなどの嵌合部材であっても構わない。
【００３７】
図８は、別の実施例を示し、昇降棚天板５０２と昇降ベース部材３００とのスライドに制動をかける手段を説明するものである。
図８Ｃ部詳細図は制動手段の詳細を説明するための図で、
可動ベース部材３００と昇降棚天板５０２との間の空間を拡大・透視した斜視図である。
昇降ベース部材３００の裏面に断面L字状の被挟持体３１０が、コーナーの奥行方向であるスライド方向を長手方向に固定されている。昇降棚天板５０２の前方側には昇降棚を前後方向にスライド可動させる時の手がかりとして長円形にくり抜き穴５０５が形成される。
【００３８】
挟持体３１１は、被挟持体３１０を挟む挟持部３１３と、狭持部３１０を常に挟持方向に付勢するバネ３１６と、バネ３１６の付勢に抗して挟持を開放する方向に力を作用させるための操作部３１４と、で構成され、狭持部３１３と操作部３１４は軸固定部３１９で連結しており、該軸固定部３１９が昇降棚天板５０２上面に固定される。また、操作部３１４には先端を二股に分けたワイヤ３１８が接続されており、ワイヤ３１８の他端にはスライド部材３１７が接続されている。スライド部材３１７はその前方先端がくり抜き穴５０５に臨んでいる。
【００３９】
使用者がくり抜き穴５０５に手を掛けながら、スライド部３１７を前方に引張ると、ワイヤ３１８を介して操作部３１４の間隔が狭くなり、同時に狭持体３１３が外側に開き、狭持体３１１が被狭持体３１０を開放し、昇降棚５００を前後にスライドさせることができる。
【００４０】
また使用者がスライド部材３１７より手を離すとバネ６１６の付勢力により再度狭持体３１３が被狭持体３１０を挟持することでスライドを制動する。すなわちこのスライド制動手段によって、使用者がこの制動手段を解除しない限り昇降棚は前後方向に移動させることはできず、使用者の意志がない限り昇降棚が勝手に移動することがなく安全である。また使用者の好みの位置に昇降棚を固定した状態で停止させておくことができるので、収納物の出し入れの操作性が向上する。
【００４１】
なお、前方にスライドした状態では、図７のＣ詳細図に示す定位置リミットスイッチ３０４が、昇降棚５００が定位置にいないと判断し、昇降棚５００の昇降動作は禁止される。
【００４２】
このように通常は付勢力により昇降棚のスライドを制動しているが、使用者の意志によりこの付勢力に抗して作用させる手段を有し、制動から開放されてスライド自在になるものであればよい。
すなわち通常時はスライド移動の制動がかかり、スライド作動は使用者の意図により制動から開放されてなされるので、収納物出し入れの際不意に昇降棚が不安定になったりせず、安全で使い勝手のよい昇降キャビネットを提供可能となる。
【００４３】
本発明によれば、使用者は、外筐体１００の後ろ側に位置する昇降棚５００を電動モーターによって、手の届く範囲まで楽に下降させるこができ、さらにその状態で手動によって昇降棚５００を前方にスライドさせることができるため、楽な姿勢で且つ容易に中の収納物を取出すことができる。また収納棚の前後のスライド方向を抑制する手段によって、安全に収納動作を行うことができる。また、通常手が届く外筐体の前側は固定収納空間２０として確保したため、使用者は頻繁に使う収納物をこの固定収納空間２０の収納することで、すばやく収納物を取出すことができる。
【符号の説明】
【００４４】
１    …昇降式ウォールキャビネット
１００…外筐体
１０２R、L…外筐体裏板
１０３R、L…外筐体側板
１０４…外筐体天板
１０７…外筐体底板
２００…固定収納空間
２０１…仕切り板
２０２…固定収納棚板
３００…昇降ベース部材
３０１…前方スライドレール
３０３…磁性体
３０４…定位置リミットスイッチ
３１０…被挟持体
３１１…挟持体
３１３…挟持部
３１４…操作部
３１５…シーソーバー
３１６…バネ
３１７…スライドレバー
３１８…ワイヤー
３１９…軸固定部
４００…昇降装置
４２１…巻き取りボビンホルダー
４２２…巻き取りボビン
４２３…定滑車
４２４…動滑車
４２５…ベルト
４２７…制御ボックス
４２８…操作部
４２９…信号線
５００…昇降棚
５０１R、L…昇降棚側板
５０２…昇降棚天板
５０３…昇降棚底板
５０４…昇降棚棚板
５０５…くり抜き穴  
５０６…Ａ磁石
５０７…Ｂ磁石
５０８…スイッチドグ
【図１】
2010279411.tif 000003
【図２】
2010279411.tif 000004
【図３】
2010279411.tif 000005
【図４】
2010279411.tif 000006
【図５】
2010279411.tif 000007
【図６】
2010279411.tif 000008
【図７】
2010279411.tif 000009
【図８】
2010279411.tif 000010